(57)【特許請求の範囲】
【請求項１】
内周面の一部が球面状をなす１対のケースと、各ケース内に水密性を保持して嵌合され、かつケースの球面状の内面と接触しながら摺動可能な１対の球面リングと、各球面リングの外周面に摺接するようにして前記各ケースの先端開口部に止着された押輪と、前記両球面リング内に水密性を保持して管軸方向に摺動可能に嵌合された連結管とよりなり、かつ前記連結管における両端部と中間部とに、それぞれ球面リングと連結管との伸長方向と縮退方向への最大相対移動量を規制するストッパを備えてなる伸縮可撓管継手において、前記中間部のストッパを、縮退方向への最大限の移動時において連結管の端部がケースの内周面と干渉しない位置に、管軸方向に移動可能又は着脱可能として設けるとともに、前記各球面リングの端部が前記連結管の端部のストッパが通過できるよう開口されており、前記中間部のストッパを移動又は着脱させることで、前記球面リング内に配置されている連結管の少なくとも一方の端部を球面リングの端部より外方に突出させた状態で、前記連結管の端部のストッパを取り付けできることを特徴とする伸縮可撓管継手。
【請求項２】
中間部のストッパを、内周面に複数の凹溝を有する筒状とし、前記凹溝に対して連結管の外周面に形成した複数の係止片を係脱することにより、固定又は管軸方向に、移動可能とした請求項１に記載の伸縮可撓管継手。
【請求項３】
中間部のストッパを、周方向に複数に分割可能な円弧状断面として、固定手段により連結管に着脱可能に取付けた請求項１に記載の伸縮可撓管継手。
【請求項４】
固定手段を、各円弧状断面のストッパに設けたフランジ同士を結合するボルトとナットとした請求項３に記載の伸縮可撓管継手。
【請求項５】
固定手段を、各円弧状断面のストッパと連結管とに螺挿された埋込みボルトとした請求項３に記載の伸縮可撓管継手。
【発明の詳細な説明】
【０００１】
【発明の属する技術分野】
本発明は、水道管等を伸縮可撓可能に配管する際に使用される伸縮可撓管継手に関する。
【０００２】
【従来の技術】
この種の管継手としては、例えば図１１に示すようなものがある。
【０００３】
この管継手は、内面が球面状をなす左右１対のケースａと、各ケースａ内にパッキンｂを介して摺動自在に嵌合された球面リングｃと、各ケースａの先端部外周面に着脱可能として止着された押輪ｄと、各球面リングｃ内にパッキンｅを介して摺動自在に嵌合された連結管ｆとよりなり、連結管ｆの中央部外周面と両端部外周面には、環状のストッパｇ、ｇ’がそれぞれ設けられている。
【０００４】
両端外周面のストッパｇは、円周方向の一部が切欠されたＣ形リング状をなし、拡径方向に弾性変形させながら連結管ｆの端部の環状凹溝ｈに嵌合させたのち、複数のボルトｉにより固定される。
【０００５】
球状リングｃの内面の環状突部ｊが両端部のストッパｇに当接することにより、その抜け止めと最大伸長量が規制され、また先端部が中央のストッパｇ’に当接することにより、最大縮退量が規制されるようになっている。
【０００６】
上記中央のストッパｇ’はまた、最大限縮退した際、図示するように、連結管ｆの両端が、ケースａの内周面と干渉するのを防止する作用を有している。
【０００７】
すなわち、連結管ｆの両端がケースａの内周面に接触すると、球面リングｃがケースａの内面に沿って回動する際の摺動抵抗が大となって、円滑に回動し得なくなるだけでなく、ケースａの内面に塗布されている粉体防錆塗装が剥離し、錆を発生させる恐れがあるからである。
【０００８】
【発明が解決しようとする課題】
上記管継手を組立てるに際し、両端部のストッパｇは、球面リングｃを連結管ｆに嵌合した後に組付けられるが、上述したように、中央のストッパｇ’が固定的に設けられており、かつ連結管ｆの端部がケースａと干渉しないように互いに所要寸法離間させると、図示するように、端部のストッパｇは、最大限縮退させても、その一部又は全体が球面リングｃ内に位置するようになる。
【０００９】
この状態でストッパｇの取付けを行おうとすると、ボルトｉのねじ孔への挿入や、工具による締付け作業に手間がかかり、ストッパｇの取付作業が非能率的となる問題があった。
【００１０】
本発明は、上記問題を解決するためになされたもので、連結管の端部へのストッパの取付作業を、球面リングの外方において容易に行いうるようにすることにより、作業能率を大幅に向上することが可能な伸縮可撓管継手を提供することを目的としている。
【００１１】
【課題を解決するための手段】
上記目的を達成するために、本発明の伸縮可撓管継手は、内周面の一部が球面状をなす１対のケースと、各ケース内に水密性を保持して嵌合され、かつケースの球面状の内面と接触しながら摺動可能な１対の球面リングと、各球面リングの外周面に摺接するようにして前記各ケースの先端開口部に止着された押輪と、前記両球面リング内に水密性を保持して管軸方向に摺動可能に嵌合された連結管とよりなり、かつ前記連結管における両端部と中間部とに、それぞれ球面リングと連結管との伸長方向と縮退方向への最大相対移動量を規制するストッパを備えてなる伸縮可撓管継手において、前記中間部のストッパを、縮退方向への最大限の移動時において連結管の端部がケースの内周面と干渉しない位置に、管軸方向に移動可能又は着脱可能として設けるとともに、前記各球面リングの端部が前記連結管の端部のストッパが通過できるよう開口されており、前記中間部のストッパを移動又は着脱させることで、前記球面リング内に配置されている連結管の少なくとも一方の端部を球面リングの端部より外方に突出させた状態で、前記連結管の端部のストッパを取り付けできることを特徴としている。
【００１２】
上記中間部のストッパを、内周面に複数の凹溝を有する筒状とし、前記凹溝を連結管の外周面に形成した複数の係止片と係脱することにより、固定又は管軸方向に、移動可能とするのが好ましい。
【００１３】
上記中間部のストッパを、内周方向に複数に分割可能な円弧状断面として、固定手段により連結管に着脱可能に取付けるのが好ましい。
【００１４】
上記固定手段を、各円弧状断面のストッパに設けたフランジ同士を結合するボルトとナットとするのが好ましい。
【００１５】
上記固定手段を、各円弧状断面のストッパと連結管とに螺挿された埋込みボルトとするのが好ましい。
【００１６】
本発明によると、最大縮退量を規制する中間部のストッパを、連結管に管軸方向に移動可能又は着脱可能として設けたことにより、連結管の端部におけるストッパの取付けが可能となる。
【００１７】
【発明の実施の形態】
以下、本発明の実施例を図面に基づいて説明する。
【００１８】
図１は、本発明の第１実施例を示すもので、１、１は、基部のフランジ１ａを介して水道管等の各端部に接続される１対のケースで、互いの対向部は概ね球面状に開口している。
【００１９】
各ケース１内には、内外周面が球面状をなす球面リング２が、ケース１の開口端部内面の拡径凹部１ｂに挿入したパッキン３を介して、摺動自在に嵌合されている。
【００２０】
各ケース１の先端に円周方向に等間隔おきに形成された複数の内向片４には、押輪５における環状凹溝５ａが嵌合され、止めねじ６により回り止めされている。押輪５の内面は、球面リング２の外周面に摺動自在に面接触している。
【００２１】
各球面リング２の対向端部に連設された筒部７内には、連結管８が、筒部７の内面の凹溝内に挿入されたパッキン９を介して摺動自在に嵌合されている。尚、球面リング２の端部Ａは、後述するストッパリング１０が取り付けられた連結管８の両端部が通過できるよう開口されている（図４〜６参照）。
【００２２】
連結管８の両端部外周面に形成された環状凹溝８ａには、円周方向の一部が切欠されたストッパ１０が嵌合され、ボルト１１の締着をもって固定されている。ストッパリング１０には、球面リング２の内面中間部の段部２ａが当接し、その抜け止めと最大伸長量が規制されるようになっている。
【００２３】
連結管８の中央部外周面に突設された複数の係止片１２には、筒状のストッパ１３が、次のようにして取付けられている。
【００２４】
図２に示すように、ストッパ１３は、係止片１２の外径よりも若干大きな内径を有する筒状をなすとともに、その内面両側部には、隣接する両係止片１２との間に挿入されて、内面が連結管８の外周面と摺接する４個の内向突部１４が形成され、それら軸方向に対向する内向突部１４との間には、各係止片１２と嵌合可能な凹溝１５が形成されている。
【００２５】
ストッパ１３を係止片１２に係合させるには、図２に示すように、各内向突部１４を係止片１２間の隙間に位置させるとともに、各係止片１２を内向突部１４間の隙間に位置させて、ストッパ１３をその半分の長さだけ軸方向に摺動させる。
【００２６】
ついで、図３に示すように、ストッパ１３を矢印方向に若干回動させて、各凹溝１５内に各係止片１２を嵌合させる。
【００２７】
ついで、ストッパ１３における凹溝１５と連通する雌ねじ孔１６に止めねじ１７を螺挿し、ストッパ１３の回り止めをする。
【００２８】
ストッパ１３は、ケース１及びそれに嵌合された球面リング２と連結管８との最大相対縮退量を規制するものであり、球面リング２の筒部７の端面がストッパ１３の両側面に当接したときが最大縮退時となる。
【００２９】
なお、最大縮退時において連結管８の両端がケース１の内面と干渉しないように、最大縮退ストロークが定められている。
【００３０】
次に、上記実施例の伸縮可撓管継手の組立て要領について説明する。
【００３１】
図４に示すように、まず連結管８に、ストッパ１３、１対の押輪５、パッキン９を装着した１対の球面リング２を順に嵌合する。この際、ストッパ１３は回動可能としておく。
【００３２】
ついで、図５に示すように、ストッパ１３を図２に示すような位置まで回動させて、係止片１２の一方（右方）に移動させたのち、左方の球面リング２を、その筒部７の側端面が係止片１２と当接するまで右方に摺動させる。これにより、連結管８の左端部は、球面リング２の左端Ａより突出する。
【００３３】
ついで、連結管８の端部の環状凹溝８ａにストッパリング１０を嵌合し、ボルト１１により固定する。このストッパリング１０の取付作業は、球面リング２の外方で行われるので極めて容易となる。
【００３４】
ついで、図６に示すように、ストッパ１３を係止片１２の左方に移動させたのち、上記と同じ要領により、連結管８の右端部にストッパリング１０を取付ける。
【００３５】
ついで、各球面リング２にケース１を外嵌して押輪５と係合させるとともに、ストッパ１３を係止片１２と係合させて止めねじ１７により回り止めすれば、図１に示すような伸縮可撓管継手が組立てられる。
【００３６】
図７は、本発明の第２実施例の要部を示す。
【００３７】
この実施例では、連結管８の外周面中央部に、２分割可能な上下１対の半円筒形半円弧状断面のストッパ１８を嵌合し、フランジ１８ａ同士をボルト１９とナット２０により着脱可能に締結してある。その他の構成は、上記第１実施例と同じである。
【００３８】
ストッパ１８は、連結管８の両端部（右方は図示省略）にストッパリング１０を装着したのち取付けられる。すなわち、半円筒形のストッパ１８として後付け可能とすることにより、ストッパ１８の取付け前は、両球面リング２を管軸方向に自由に摺動させることが可能となり、従って、連結管８の端部を球面リング１０の端部より大きく突出させた状態でストッパリング１０を容易に取付けることができる。
【００３９】
図８は、本発明の第３実施例の要部を示す。
【００４０】
この実施例でも、上記と同様、半円筒形の１対のストッパ２１として、連結管８の中央部に着脱可能に取付けてある。すなわち、図９に示すように、連結管８の中央部外周面の上下部に、位置決めを兼ねる膨出部２２を突設し、この膨出部２２にストッパ２１の内面の凹部２１ａを嵌合させて、２個ずつの埋込みボルト２３により固定してある。
【００４１】
この第３実施例も、上記第２実施例と同じ要領でストッパリング１０を容易に取付けることができる。また、第２実施例のストッパ１８のようなフランジ１８ａを有していないので、突起感はなく、外観的体裁がよくなる。
【００４２】
以上説明したように、本発明の伸縮可撓管継手においては、最大縮退量を規制するストッパ１３、１８、２１を第１実施例のように管軸方向に移動可能として取付けるか、又は第２、第３実施例のように着脱可能として、後から取付けうるようにすることにより、ストッパリング１０の取付部を球面リング２の端部より外方に突出させることが可能となり、ストッパリング１０の取付作業を極めて容易に行うことができる。
【００４３】
本発明は、上記実施例に限定されるものではない。
【００４４】
第１実施例におけるストッパ１３を、単に円筒形として連結管８に管軸方向に移動可能に外嵌し、連結管８の中央部において複数のボルトにより固定するようにしてもよい。
【００４５】
また、円筒形としたストッパ１３の内面に雌ねじを形成するとともに、連結管８の中央部外周面に雄ねじを形成し、この雄ねじにストッパ１３の雌ねじを螺合させ、かつ止めねじにより回り止めをして固定するようにしてもよい。
【００４６】
第２、第３実施例のストッパ１８、２１は、２個以上に分割可能な円弧状断面としてもよく、また、円周方向に所定間隔おきに複数個取付けるようにしてもよい。
【００４７】
図１０に略示するように、連結管８が長寸である場合には、２個のストッパ１３を各球面リング２に対応して設ければよい。
【００４８】
【発明の効果】
（ａ）本発明によれば、連結管の端部におけるストッパの取付部を、球面リングの外方に突出させることができるため、ストッパ取付時の作業性及び作業能率が大幅に向上する。
【００４９】
（ｂ）請求項２の発明によれば、ストッパの固定及び移動が容易となる。
【００５０】
（ｃ）請求項３及び４の発明によれば、連結管へのストッパの取付けが容易となる。
【００５１】
（ｄ）請求項５の発明によれば、上記（ｃ）の効果に加えて、突起感がなくなるため、外観的体裁が向上する。
【００５２】
【図面の簡単な説明】
【図１】本発明の第１実施例を示すー部切欠側面図である。
【図２】同じく、図１のＩＩ−ＩＩ線に沿って見た矢視図で、ストッパと係止片との係合を解除した状態の縦断正面図である。
【図３】同じく、ストッパと係止片との係合状態を示す縦断面図である。
【図４】同じく、組立て要領を示すもので、連結管に、ストッパ、押輪、及び球面リングを取付けた状態の一部切欠側面図である。
【図５】同じく、ストッパを右方に移動させて、ストッパリングを取付けた状態を示すー部切欠側面図である。
【図６】同じく、ストッパを左方に移動させて、ストッパリングを取付けた状態を示すー部切欠側面図である。
【図７】本発明の第２実施例を示す要部のー部切欠側面図である。
【図８】同じく、第３実施例を示す要部のー部切欠側面図である。
【図９】図８のＩＸ−ＩＸ線に沿う縦断正面図である。
【図１０】連結管に２個のストッパを設けた他の実施例を示す要部のー部切欠側面図である。
【図１１】従来の伸縮可撓管継手を示すー部切欠側面図である。
【符号の説明】
１          ケース
１ａ        フランジ
２          球面リング
２ａ        段部
３          パッキン
４          内向片
５          押輪
５ａ        環状凹溝
６          止めねじ
７          筒部
８          連結管
８ａ        環状凹溝
９          パッキン
１０          ストッパリング
１１          ボルト
１２          係止片
１３          ストッパ
１４          内向突部
１５          凹溝
１６          雌ねじ孔
１７          止めねじ
１８          ストッパ
１８ａ        フランジ
１９          ボルト
２０          ナット
２１          ストッパ
２２          膨出部
２３          埋込みボルト
【図１】
0003801735.tif 000002
【図２】
0003801735.tif 000003
【図３】
0003801735.tif 000004
【図４】
0003801735.tif 000005
【図５】
0003801735.tif 000006
【図６】
0003801735.tif 000007
【図７】
0003801735.tif 000008
【図８】
0003801735.tif 000009
【図９】
0003801735.tif 000010
【図１０】
0003801735.tif 000011
【図１１】
0003801735.tif 000012